(57)【要約】【課題】給送されるシートの暴れを低減させるとともに、シートの分離性を向上させ、さらに粉や表面コート材等の異物を除去する。【解決手段】積層したシートの束から最上位のシートを分離して搬送するシート搬送装置である。積層したシートの側部に向けてエアを吹き出す空気吹出口１４１を備え、シートの後端に対して搬送方向の下流側にエア吸引手段の空気吸引口１４２を配置した。【選択図】図２
2015120602.tif 000002
【特許請求の範囲】
【請求項１】
シートを積層して収容する収容部と、
前記シートを分離して搬送する分離搬送手段と、
前記収容部に積層した前記シートの搬送方向に直交する側部に向けエアを吹き出す空気吹出口を備えた側部エア吹出部と、
空気を吸い込むエア吸引手段と、
を有するシート搬送装置において、
前記エア吸引手段の空気吸引口は、前記シートの後端に対し搬送方向の下流側に位置することを特徴とするシート搬送装置。
【請求項２】
前記給送収容部に積層した前記シートの搬送方向長さに対応して配置位置を変更でき、前記積層した前記シートの後端の位置を決定する後端ガイド部材を更に設け、
前記後端ガイド部材に前記エア吸引手段の空気吸引口を配置したことを特徴とする請求項１に記載のシート搬送装置。
【請求項３】
前記空気吸引口からエアを吸引して、前記収容部内の異物を回収することを特徴とする請求項１または２に記載のシート搬送装置。
【請求項４】
前記空気吸引口は、前記空気吹出口によって浮上するシートの浮上面よりも下側に配置されることをと特徴とする請求項請求項１乃至３のいずれかに記載のシート搬送装置。
【請求項５】
前記エア吸引手段の吸引量を変更可能としたことを特徴とする請求項１乃至４のいずれかに記載のシート搬送装置。
【請求項６】
前記エア吸引手段の空気吸引口に脱着可能なノズルを配置したことを特徴とする請求項１乃至５のいずれかに記載のシート搬送装置。
【請求項７】
シート給送を行う前にエアを吹き出させ、前記エア吸引口でエアを吸引させ、給送されるシートの上面の粉除去を行う制御手段を備えた、
ことを特徴とする請求項１乃至６のいずれかに記載のシート搬送装置。
【発明の詳細な説明】
【技術分野】
【０００１】
本発明は、シートを分離して搬送するシート搬送装置に関する。
【背景技術】
【０００２】
シート積層トレイに多数枚積層されたシートから最上位のシートを１枚ずつ搬送するシート給送装置が知られている。このようなシート給送装置としては、ＦＲＲ方式、エアアシスト方式、エア給送方式が採用される。ＦＲＲ方式のシート給送装置は、給送ローラー等でシート積層トレイに積層されたシートから最上位のシートを給送する。エアアシスト方式のシート給送装置は、給送ローラーを備える他、シートの側部からエア（サイドエア）を噴出してシートを浮き上がらせてシートを給送する。エア給送方式のシート給送装置は、シート束の端部にエアを吹き付けてシートを複数枚浮上させ、上方に配置された吸着搬送ベルトにシートを１枚だけ吸着させて搬送する。
【０００３】
図５は従来のエアアシスト方式のシート給送装置を示す斜視図、図６は同シート給送装置の空気吹出状態を示す斜視図である。エアアシスト方式のシート給送装置３０は、シート束Ｓ１のシート搬送方向側位置を決定するフロントフェンス３１、シート束Ｓ１のシート搬送方向反対側の位置を決定するエンドフェンス３２、シート束Ｓ１の両側の位置を決定するサイドフェンス３３、３３を有する。またフロントフェンス３１の上方には、シート束Ｓ１から最上位のシートＳを取り出す給送ローラー３５を備える。また、サイドフェンス３３には、サイドエアを噴出するエア噴出装置の噴出口３６が配置される。
【０００４】
シート給送装置３０では、図６に示すように、サイドフェンス３３、３３からのサイドエア３７、３７は、内側に向け対向して噴出される。また、エンドフェンス３２からエア３８を吹き出す場合もある。
【０００５】
図７は従来のエア給送方式のシート給送装置を示す斜視図、図８は同シート給送装置の空気吹出状態を示す斜視図である。エア給送方式のシート給送装置４０は、シート束Ｓ１のシート搬送方向側位置を決定するフロントフェンス３１、シート束Ｓ１のシート搬送方向反対側の位置を決定するエンドフェンス３２、シート束Ｓ１の両側の位置を決定するサイドフェンス３３、３３を有する。また、フロントフェンス３１の上側には、シート搬送方向側からフロントエアを吹き出すフロント側空気吹出装置４１を備える他、サイドフェンス３３、３３には、サイドエアを噴出するエア噴出装置の噴出口４２が配置される。さらに、フロントフェンス３１の上方には、フロントエアおよびサイドで浮き上がったシート束Ｓ１から最上位のシートＳを吸着する吸着搬送ベルト４３が配置されている。
【０００６】
このようなシート給送装置４０では、図８に示すように、フロントエア４４と、サイドエア４５、４５とで、最上位のシートＳを浮上させ、シート間に空隙部を形成し、空隙部を流れるエアが最上位のシートと２枚目以降のシートの間の全域にわたって流れてシートを分離させる。
【０００７】
通常のシートを使用している限りでは、ＦＲＲ方式またはエアアシスト方式のシート給送装置で良好にシートを搬送できるが、近年、塗工紙（コート紙）をはじめ多様な材質のシートが使用されるようになってきており、塗工紙等のシートは、今までのシートと比べシート間の密着力が大きく、また表面に特殊な処理が施されていることから今までのＦＲＲ方式のシート給送装置では充分な摩擦力が得られない。そのため、エアアシスト方式のシート給送装置を使用したとしても、シートにローラーが当接することから、シートの表面にコロ跡等が残る等の悪影響を及ぼしてしまう。このため、エア給送方式のシート給送装置を採用することが増えてきている。
【０００８】
特許文献１には、分離性能を高めるため、複数枚のシートからなるシート束を積載するシート積層トレイと、前記シート積層トレイに積載された前記シート束の最上位のシートから１枚ずつ搬送する給紙手段と、前記シート束の側端にエアを吹き付けて前記シート束のシート間にエアを流し込み、前記シート束からシートを分離する第１送風手段と、前記シート束の側端を規制するシート側端規制部材を備え、前記第１送風手段によって前記シート束の側端にエア吹き付けるための送風口と、前記シート束から分離したシートと前記シート束との間にたまるエアを排出する排気口が前記シート側端規制部材に設けられているシート給送装置が記載されている。
【発明の概要】
【発明が解決しようとする課題】
【０００９】
しかし、上述したエアアシスト方式のシート給送装置では、シートトレイ内に各方向からエアが吹き付けられることによってエアが衝突する地点でエアの乱れが生じ、シートが暴れることになる。また、エアが衝突するポイントでは粉や表面コート材等の舞上がりが発生し、センサーやローラー、ドラムに付着し誤検知や搬送品質の低下、画像に悪影響を及ぼす問題がある。
【００１０】
また、従来のシート給送装置では、特にサイドフェンス長より長いシートの後端部のさばき不足により不給送や重送が発生することがある。図９はエアアシスト方式のシート給送装置の不具合を示す模式図である。図９（ａ）に示すように、シートＳがサイドフェンス３３、３３と同程度の場合は、サイドエア３７は、シートＳの全域に入り込み、シートＳを良好に分離する。一方、シートＳがサイドフェンス３３、３３より長いとき、図９（ｂ）に示すように、サイドエア３７が入り込まない領域３９が発生することによる。
【００１１】
また、フロント側空気吹出装置４１を備えたシート給送装置４０でも、同様の不具合が生じる。図１０はエア給送方式のシート給送装置の不具合を示す断面図である。すなわちシートＳがサイドフェンス３３、３３より長いと、フロント側空気吹出装置４１からのフロントエア４４がサイドフェンス３３、３３を越えたシートＳの側部側部領域４６から流れ出し、シートＳのエンドフェンス３２側の領域４７が分離できないこととなる。
【００１２】
また特許文献１に記載の発明は、排気口を設けているものの、エアどうしが衝突するため、エアの流れが乱れ、シート分離性が低い。あらに、さまざまなシートから発生する紙粉や表面コート材等が舞い上がる。
【００１３】
また特許文献２には、紙粉や炭酸カルシウム等の付着物を除去することで、悪影響が発生しないシート給送装置を提供することを目的として、シート先端側から後端に向けてエアを吹き付け、エアの流れ方向下流側に回収装置を設け紙粉除去することが開示されている。
【００１４】
しかし、この方式のシート給送装置では、エア吹き出し位置がシート前方に位置しているため、シート全体にエアが行き届かず、大サイズシートの場合、紙粉等の付着物を除去しにくいという問題がある。
【００１５】
本発明は上述の点にかんがみてなされたものであり、エアの流れを整え、シート全体にエアが行き届くことでシートの暴れを低減させるとともにシート分離性を向上させ、さらに粉等を除去するシート搬送装置を提供することを目的とする。
【課題を解決するための手段】
【００１６】
本発明に係るシート搬送装置はシートを積層して収容する収容部と、前記収容部に積層した前記収容部から最上位のシートを１枚ずつ分離して搬送する分離搬送手段と、前記収容部に積層した前記シートの搬送方向に直交する側部に向けエアを吹き出す空気吹出口を備えた側部エア吹出部と、空気を吸い込むエア吸引手段と、を有するシート搬送装置において、前記エア吸引手段の空気吸引口は、前記側部エア吹出部に対し、搬送方向の下流側に位置することを特徴とする。
【発明の効果】
【００１７】
本発明によれば、エアの流れを整えることができ、シートの暴れを低減させることができる。また、シート全域にエアが流れ込むので、粉や表面コート材等の舞上がりを防止できる。
【図面の簡単な説明】
【００１８】
【図１】本発明に係る給紙装置を適用しうる画像形成装置を示す断面図である。
【図２】本発明の実施形態１に係る給紙装置を示す斜視図である。
【図３】同給紙装置の動作を示す模式図である。
【図４】同給紙装置の動作を示す断面図である。
【図５】従来のエアアシスト方式の給紙装置を示す斜視図である。
【図６】同給紙装置の空気吹出状態を示す斜視図である。
【図７】従来のエア給紙方式の給紙装置を示す斜視図である。
【図８】同給紙装置の空気吹出状態を示す斜視図である。
【図９】エアアシスト方式の給紙装置の不具合を示す模式図である。
【図１０】エア給紙方式の給紙装置の不具合を示す断面図である。
【発明を実施するための形態】
【００１９】
本発明を実施するための形態に係る給紙装置および画像形成装置について説明する。まず、画像形成装置の構造について説明する。図１は本発明に係る給紙装置を装備し得る画像形成装置の一例を示す概略構成図である。なお、本発明の実施対象とする画像形成装置は、図示のものには限定されず、複写機、ファクシミリ装置、複写機能とファクシミリ機能等を備えた複合機等の機能を有するもの等、画像形成を行う種々の装置が対象となる。
【００２０】
図１において、画像形成装置の一例としての複写機１００は、原稿トレイ１１０ａに配置された原稿束から原稿を１枚分離して原稿読取部１２０上のコンタクトガラスに自動給紙する自動原稿搬送装置１１０と、を備える。また、複写機１００は、自動原稿搬送装置１１０で搬送された原稿を読み取る原稿読取部１２０と、給紙装置１３０から給紙されたシートに、原稿読取部１２０によって読み取った画像を形成する画像形成部（画像形成手段）１４０とを有する。給紙装置１３０は、積層したシートＳからなるシート束Ｓ１から最上位に位置する最上位シートを画像形成部１５０に給紙する。なお、本実施の形態では、画像形成部１５０と給紙装置１３０とは分割可能となっているが、そうでない構成でもよい。
【００２１】
給紙装置１３０から搬送されたシートは、搬送経路１７０上を搬送されるようになっており、搬送経路１７０上を搬送されるシートは、搬送ローラー対１８０により搬送される。シートには、転写ローラー１９０によって画像形成部１５０で形成されたトナー画像が転写され、このトナー画像が定着器２００によって熱転写され、排紙ローラー対２１０により排紙トレイ２２０に排出する。
【００２２】
画像形成部１５０は、４つの作像部２３０（２３０Ｙ（イエロー）、２３０Ｃ（シアン）、２３０Ｍ（マゼンタ）、２３０ＢＫ（ブラック））と、転写ベルトである中間転写ベルト２４０と、露光装置２５０とから構成してある。
【００２３】
露光装置２５０は、各レーザー光源ユニット内の半導体レーザーを駆動して光ビームを射出するようになっている。光ビームは、パーソナルコンピュータ、ワードプロセッサ等から入力される色分解された画像データや、原稿読取部１２０によって読み取られた原稿の画像データを光源駆動用の信号に変換して生成される。
【００２４】
作像部２３０Ｙ、２３０Ｃ、２３０Ｍ、２３０ＢＫは、異なる色の画像（トナー像）を形成するようになっている。作像部２３０Ｙ、２３０Ｃ、２３０Ｍ、２３０ＢＫは、時計回転方向に回転駆動される感光体２６０（２６０Ｙ、２６０Ｃ、２６０Ｍ、２６０ＢＫ）、感光体２６０の周囲に配置された帯電部２７０、現像部２８０、クリーニング部２９０等により構成されている。
【００２５】
感光体２６０は、円筒状に形成され、図示しない駆動源により回転駆動される。感光体２６０の外周面部には感光層が設けられており、露光装置２５０から射出された破線で示す光ビームが感光体２６０の外周面にスポット照射されることにより、感光体２６０の外周面には画像情報に応じた静電潜像が書き込まれる。
【００２６】
帯電部２７０は、感光体２６０の外周面を一様に帯電するもので、感光体２６０に対して接触方式のものが採用されている。現像部２８０は、感光体２６０にトナーの供給を行う。供給されたトナーが感光体２６０の外周面に書き込まれた静電潜像に付着することにより、感光体２６０上の静電潜像がトナー像として顕像化させる。この例では、感光体２６０に対して非接触方式のものが採用されている。
【００２７】
クリーニング部２９０は、感光体２６０の外周面に付着している残留トナーをクリーニングする。この例では、クリーニング部２９０として、感光体２６０の外周面にブラシを接触させるブラシ接触方式のものが採用されている。
【００２８】
中間転写ベルト２４０は、樹脂フィルム、または、ゴムを基体として形成された無端状ベルトから構成されている。感光体２６０上に形成されたトナー像が転写され、この中間転写ベルト２４０に転写されたトナー像が転写ローラー１９０によってシートに転写される。
【００２９】
次に本発明の実施形態に係る給紙装置について説明する。図２は本発明の実施形態１に係る給紙装置を示す斜視図、図３は同給紙装置の動作を示す模式図、図４は同給紙装置の動作を示す断面図である。給紙装置１３０は、図１および図２に示すように、シート束Ｓ１を収容する給紙トレイ１３１と、シート搬送方向側位置を決定するフロントフェンス１３２とを有する。
【００３０】
また、給紙装置１３０は、シート束Ｓ１のシート搬送方向反対側、すなわちシートＳの後端の位置を決定する後端ガイド部材であるエンドフェンス１３３、シート束Ｓ１の側端を決定する側部ガイド部材である１対のサイドフェンス１３４、１３４を有する。なお、エンドフェンス１３３は、給紙トレイ１３１に収容したシートの搬送方向長さに対応して配置位置を変更できる。
【００３１】
また、フロントフェンス１３２の上側には、図２に示すように、シート搬送方向側からフロントエアを吹き出すフロント側空気吹出装置１３６を備える。また、サイドフェンス１３４、１３４には、サイドエアを噴出するエア噴出装置の空気吹出口１４１、１４１が配置されている。さらに、フロントフェンス１３２の上方には、フロントエアおよびサイドで浮き上がったシート束Ｓ１から最上位のシートＳを吸着し、分離して搬送する給紙手段である吸着搬送ベルト１３５が配置されている。
【００３２】
実施形態１に係る給紙装置１３０では、図２および図４に示すように、エンドフェンス１３３内にエア排出管１４３を配置し、エンドフェンス１３３のシートＳ側に吸引口である空気吸引口１４２を形成している。エア排出管１４３は、図示していないエア吸引手段であるエア吸引装置に接続されており、空気吸引口１４２から強制的にエアが吸引される。また、空気吸引口１４２はシートの浮上面よりも下側に配置される。なお、エア吸引手段のエアの吸引量を変更可能とすることができる。この吸引量はシートの種類、サイズによって設定することができる。さらに、エア吸引手段の吸引口にノズルを設け、このノズルを脱着可能なものとすることができる。ノズルはその形状を変更することにより、吸引状態を変更できる。
【００３３】
図示は省略するが本実施形態の給紙装置は、エアの吹き出しを制御する制御手段を有している。この制御手段は、給紙を行う前にフロント側エア吹出装置１３６とサイドフェンス１３４のエア吹出口１４１とからエアを吹き出させ、エンドフェンス１３３内にエア排出管１４３でエアを吸引させ、給送されるシートの上面の紙粉除去を行う。なお、このような制御を行うための制御手段は、給紙装置に設けることに代えて、画像形成装置（図１の複写機１００等）の画像形成装置本体側に設けてもよい。また、制御手段としては、マイクロコンピュータ等の公知の手段を採用すればよいので詳細な説明は省略する。
【００３４】
本実施形態に係る給紙装置１３０によれば、シート後端ガイド部材（エンドフェンス）にエアを吸引する機構を設けることでぶつかり合ったエアの流れを整えることができる。すなわち、サイドフェンス１３４、１３４のシート搬送方向寸法より長い寸法のシートを使用した場合であっても、シートを確実に分離できる。図３に示すように、サイドフェンス１３４、１３４の空気吹出口１４１、１４１から噴出されたサイドエア１４４、１４４は、フロント側空気吹出装置１３６からのフロントエア１４５と相まってシートＳの奥側までに入り込む。そして、これらのエアは、エンドフェンス１３３の空気吸引口１４２から吸引されるので衝突せず、シートＳの奥側にまで入り込む。このため、シートＳは、進行方向の先端側から後端側まで均一に浮上してさばかれる。
【００３５】
このため、シートの暴れを低減させ不給紙や重送を防ぐことができる。また、シート全域にエアが流れ込むので、紙粉や表面コート材等の異物を回収して舞上がりを防止できる。
【００３６】
また制御手段により、全てのエア（給紙を行う前にフロント側エア吹出装置１３６とサイドフェンス１３４のエア吹出口１４１とから吹き出させるエア）を吹き出させる。これにより、エンドフェンス１３３内にエア排出管１４３でエアを吸引させ、給送されるシートの上面の紙粉除去を行う。例えばこの制御手段は、給紙終了後に給紙トレイ内にシートが無い状態で、フロント側エア吹出装置１３６とサイドフェンス１３４のエア吹出口１４１とからとからエアを一定時間吹き付ける。そして、エンドフェンス１３３のエア排出管１４３でエアを吸引させ、シートの上面の紙粉除去を行う。
【００３７】
本発明は以上説明した実施形態に限定されるものではなく、多くの変形が本発明の技術的思想内で当分野において通常の知識を有する者により可能である。
【符号の説明】
【００３８】
１００    ：複写機
１１０    ：自動原稿搬送装置
１１０ａ  ：原稿トレイ
１２０    ：原稿読取部
１３０    ：給紙装置
１３１    ：給紙トレイ
１３２    ：フロントフェンス
１３３    ：エンドフェンス（後端ガイド部材）
１３４    ：サイドフェンス（側部ガイド部材）
１３５    ：吸着搬送ベルト（給紙手段）
１３６    ：フロント側空気吹出装置
１４１    ：空気吹出口
１４２    ：空気吸引口（吸引口）
１４３    ：エア排出管
１４４    ：サイドエア
１４５    ：フロントエア
１５０    ：画像形成部
１７０    ：搬送経路
１９０    ：転写ローラー
２００    ：定着器
２２０    ：排紙トレイ
２３０    ：作像部
２３０Ｙ  ：作像部
２４０    ：中間転写ベルト
２５０    ：露光装置
２６０    ：感光体
２７０    ：帯電部
２８０    ：現像部
２９０    ：クリーニング部
Ｓ        ：シート
Ｓ１      ：シート束
【先行技術文献】
【特許文献】
【００３９】
【特許文献１】特開２００９−２８０３４５号公報
【特許文献２】特開２００８−０８７９０６号公報
【図１】
2015120602.tif 000003
【図２】
2015120602.tif 000004
【図３】
2015120602.tif 000005
【図４】
2015120602.tif 000006
【図５】
2015120602.tif 000007
【図６】
2015120602.tif 000008
【図７】
2015120602.tif 000009
【図８】
2015120602.tif 000010
【図９】
2015120602.tif 000011
【図１０】
2015120602.tif 000012